(57)【要約】【課題】電線等を埋設するスペースの節約に寄与でき、しかも排水路の傾斜を現場に応じた傾斜に容易に設定可能な側溝の施工方法、および、地中埋設用筒部材を提供する。【解決手段】溝２を開削する敷設用溝開削工程と、溝２の底部に基礎３を形成する基礎形成工程と、該基礎３上に地中埋設用筒部材１２を順次貫通空部２７を連通させながら複数本敷設する筒部材敷設工程と、地中埋設用筒部材１２上に、左右の側壁部１６の間を排水空間１８とし下面が開口した自由勾配側溝部材１１を載置して排水空間１８を順次接続しながら複数敷設する自由勾配側溝敷設工程と、接続した自由勾配側溝部材１１の内部にインバートコンクリート１３を打設して地中埋設用筒部材１２上に自由勾配側溝部材１１の排水空間１８の底部を形成する排水空間底部形成工程と、を経て、下段に地中埋設用筒部材１２を一連に敷設するとともに、その上段に自由勾配側溝部材１１を一連に敷設する。【選択図】図４
2019044562.tif 000002
【特許請求の範囲】
【請求項１】
地中に敷設用の溝を開削する敷設用溝開削工程と、
前記溝の底部に基礎を形成する基礎形成工程と、
前記基礎上に、内部に貫通空部が形成された地中埋設用筒部材を敷設する筒部材敷設工程と、
前記地中埋設用筒部材上に、左右の側壁部の上端同士を梁部により接続して両側壁部の間の空間を排水空間とし下面が開口した自由勾配側溝部材を上方から備え付けて敷設する自由勾配側溝敷設工程と、
該自由勾配側溝敷設工程で接続した自由勾配側溝部材の内部にインバートコンクリートを打設して地中埋設用筒部材の上面に自由勾配側溝部材の排水空間の底部を形成する排水空間底部形成工程と、
を経て、下段に、貫通空部が形成された地中埋設用筒部材を一連に敷設するとともに、その上段に自由勾配側溝部材を一連に敷設することを特徴とする側溝の施工方法。
【請求項２】
前記自由勾配側溝敷設工程において、地中埋設用筒部材に設けられた支持部に自由勾配側溝部材の少なくとも一部を係合させて位置決めすることを特徴とする請求項１に記載の側溝の施工方法。
【請求項３】
左右の側壁部の上端同士を梁部により接続して両側壁部の間の空間を排水空間とし下面が開口した自由勾配側溝部材を上方から備え付けた状態で前記側壁部を支持する支持部を有し、
内部に、前記排水空間と同じ方向に長尺となる貫通空部が形成され、上面には前記自由勾配側溝部材の排水空間の底を下から閉塞可能な上面部を備えたことを特徴とする地中埋設用筒部材。
【請求項４】
前記上面部の左右側縁に前記支持部を有することを特徴とする請求項３に記載の地中埋設用筒部材。
【請求項５】
前記支持部を側方に突出する状態で有し、該支持部上に前記側壁部の下端を載置して支持することを特徴とする請求項３または請求項４に記載の地中埋設用筒部材。
【請求項６】
前記支持部は、当該支持部に支持される前記側壁部を前記地中埋設用筒部材の下面に対して長手方向の一端から他端に向けて傾いた姿勢に設定する傾斜設定手段を備えたことを特徴とする請求項３から請求項５のいずれかに記載の地中埋設用筒部材。
【請求項７】
前記支持部は、側壁部の下端に係合して位置規制する位置決めであることを特徴とする請求項３から請求項６のいずれかに記載の地中埋設用筒部材。
【請求項８】
前記支持部が一体成型されていることを特徴とする請求項３から請求項７のいずれかに記載の地中埋設用筒部材。
【発明の詳細な説明】
【技術分野】
【０００１】
本発明は、主として道路の端に埋設する側溝の施工方法、および、これに用いる地中埋設用筒部材に関する。
【背景技術】
【０００２】
近年、景観を向上させるために街中の電柱をなくす計画が立てられているが、実際には、道路の下には既に上下水道の配管やガス管などが埋設されており、電線を新たに埋設するためのスペースを確保することが容易ではない。このような実状に鑑み、道路の排水を処理する側溝と電線等を収納する共同溝を上下に設けてスペースの節約を図る側溝ブロックが提案されている（例えば、特許文献１参照）。
【先行技術文献】
【特許文献】
【０００３】
【特許文献１】特開２０１１−０８４９９４号公報
【発明の概要】
【発明が解決しようとする課題】
【０００４】
ところで、前記した側溝ブロックは、左右の側壁部とその下端同士を繋ぐ底壁部とを一体に有するブロック本体と、断面略Ｕ字状の排水ブロックとから構成されており、側壁部と底壁部とに囲まれた空間の下半にケーブル類をまとめて収納可能とし、前記空間の上半に、排水ブロックを上から嵌合させる構成である。そして、ブロック本体と排水ブロックは、工場において型枠内にコンクリートを流し込んで成型したコンクリート製品である。したがって、この様に一律に成型されたブロック本体と排水ブロックを順次接続して構成される側溝において、排水ブロックの内部に形成された排水路に現場に応じた傾斜をつけるにはブロック本体を埋設する際に順次傾斜させて接続しなくてはならず、施工が煩雑である。また、本体ブロック内に排水ブロックを嵌合する構成を採るので、本体ブロックの幅に対する排水路の幅の割合を大きくすることが困難である。
【０００５】
本発明は、上記した事情に鑑みてなされたものであり、その目的は、電線等を埋設するスペースの節約に寄与することができ、しかも排水路の傾斜を現場に応じた傾斜に容易に設定することができる側溝の施工方法、および、この施工方法に用いることができる地中埋設用筒部材を提供しようとするものである。
【課題を解決するための手段】
【０００６】
本発明は、上記目的を達成するために提案されたものであり、請求項１に記載のものは、地中に敷設用の溝を開削する敷設用溝開削工程と、
前記溝の底部に基礎を形成する基礎形成工程と、
前記基礎上に、内部に貫通空部が形成された地中埋設用筒部材を敷設する筒部材敷設工程と、
前記地中埋設用筒部材上に、左右の側壁部の上端同士を梁部により接続して両側壁部の間の空間を排水空間とし下面が開口した自由勾配側溝部材を上方から備え付けて敷設する自由勾配側溝敷設工程と、
該自由勾配側溝敷設工程で接続した自由勾配側溝部材の内部にインバートコンクリートを打設して地中埋設用筒部材の上面に自由勾配側溝部材の排水空間の底部を形成する排水空間底部形成工程と、
を経て、下段に、貫通空部が形成された地中埋設用筒部材を一連に敷設するとともに、その上段に自由勾配側溝部材を一連に敷設することを特徴とする側溝の施工方法である。
【０００７】
請求項２に記載のものは、前記自由勾配側溝敷設工程において、地中埋設用筒部材に設けられた支持部に自由勾配側溝部材の少なくとも一部を係合させて位置決めすることを特徴とする請求項１に記載の側溝の施工方法である。
【０００８】
請求項３に記載のものは、左右の側壁部の上端同士を梁部により接続して両側壁部の間の空間を排水空間とし下面が開口した自由勾配側溝部材を上方から備え付けた状態で前記側壁部を支持する支持部を有し、
内部に、前記排水空間と同じ方向に長尺となる貫通空部が形成され、上面には前記自由勾配側溝部材の排水空間の底を下から閉塞可能な上面部を備えたことを特徴とする地中埋設用筒部材である。
【０００９】
請求項４に記載のものは、前記上面部の左右側縁に前記支持部を有することを特徴とする請求項３に記載の地中埋設用筒部材である。
【００１０】
請求項５に記載のものは、前記支持部を側方に突出する状態で有し、該支持部上に前記側壁部の下端を載置して支持することを特徴とする請求項３または請求項４に記載の地中埋設用筒部材である。
【００１１】
請求項６に記載のものは、前記支持部は、当該支持部に支持される前記側壁部を前記地中埋設用筒部材の下面に対して長手方向の一端から他端に向けて傾いた姿勢に設定する傾斜設定手段を備えたことを特徴とする請求項３から請求項５のいずれかに記載の地中埋設用筒部材である。
【００１２】
請求項７に記載のものは、前記支持部は、側壁部の下端に係合して位置規制する位置決めであることを特徴とする請求項３から請求項６のいずれかに記載の地中埋設用筒部材である。
【００１３】
請求項８に記載のものは、前記支持部が一体成型されていることを特徴とする請求項３から請求項７のいずれかに記載の地中埋設用筒部材である。
【発明の効果】
【００１４】
本発明によれば、以下のような優れた効果を奏する。
請求項１および請求項３に記載の発明によれば、排水処理用の自由勾配側溝部材と電線等収納用の共同溝を上下に設けた側溝の施工において、電線等を埋設するスペースの節約に寄与することができ、しかも排水路の傾斜を現場に応じた傾斜に容易に設定することができる。
【００１５】
請求項２および請求項５に記載の発明によれば、地中埋設用筒部材と自由勾配側溝部材とを容易に位置決めすることができ、側溝の施工における作業効率の向上を図ることができる。
【００１６】
請求項４に記載の発明によれば、自由勾配側溝部材を支持するための構成を簡単に実現することができる。
【００１７】
請求項６によれば、地中埋設用筒部材を自由勾配側溝部材に対して傾斜した姿勢に設定することができ、この傾斜姿勢を利用して排水路の底部の勾配を容易に設定することができる。
【００１８】
請求項７によれば、自由勾配側溝部材を位置決めする構成と、自由勾配側溝部材を支持する構成とを別個にして地中埋設用筒部材に備える必要がなく、地中埋設用筒部材の構造が複雑になることを抑えることができる。
【００１９】
請求項８によれば、支持部を地中埋設用筒部材とは別個に作成して取り付ける必要がなく、地中埋設用筒部材の製造効率の向上を図ることができる。
【図面の簡単な説明】
【００２０】
【図１】側溝の概略図であり、（ａ）は側溝ユニットの正面を見せた状態の側溝の断面図、（ｂ）は側溝の平面図である。
【図２】側溝ユニットの概略図であり、（ａ）は平面図、（ｂ）は側面図である。
【図３】地中埋設用筒部材の説明図であり、（ａ）は正面図、（ｂ）は平面図、（ｃ）は側面図である。
【図４】側溝の施工手順の説明図であり、（ａ）は敷設用溝開削工程において開削された溝の断面図、（ｂ）は基礎形成工程において溝の底部に基礎が形成された状態の断面図、（ｃ）は基礎上に地中埋設用筒部材が敷設された状態の断面図、（ｄ）は基礎内の地中埋設用筒部材上に自由勾配側溝部材を敷設した状態の断面図、（ｅ）は自由勾配側溝部材の内部にインバートコンクリートを打設した状態の断面図、（ｆ）は側溝ユニットと溝との隙間を埋め戻して施工を終了した状態の断面図である。
【図５】第２実施形態における側溝ユニットの説明図であり、（ａ）は正面図、（ｂ）は平面図、（ｃ）は側面図である。
【図６】第２実施形態における地中埋設用筒部材の説明図であり、（ａ）は正面図、（ｂ）は平面図、（ｃ）は側面図である。
【図７】第３実施形態における側溝ユニットの説明図であり、（ａ）は正面図、（ｂ）は平面図、（ｃ）は側面図である。
【図８】地中埋設用筒部材の変形例の説明図であり、（ａ）は正面図、（ｂ）は平面図、（ｃ）は側面図である。
【図９】地中埋設用筒部材同士をジョイントにより接続した状態の要部を示す斜視図である。
【図１０】第４実施形態における地中埋設用筒部材の説明図であり、（ａ）は正面図、（ｂ）は平面図、（ｃ）は側面図である。
【図１１】第４実施形態における地中埋設用筒部材を複数種類連結した状態の説明図であり、（ａ）は正面図、（ｂ）は側面図、（ｃ）は傾斜した基礎上に載置した姿勢における正面図、（ｄ）は傾斜した基礎上に載置した姿勢における側面図である。
【発明を実施するための形態】
【００２１】
以下、本発明を実施するための形態を図面に基づいて説明する。
側溝１は、図１に示すように、地中開削された敷設用の溝２の底部に基礎砕石３ａ、基礎コンクリート３ｂを打設して基礎３を形成し、この基礎３上に側溝ユニット４を溝２の延在方向に沿って一列に並ぶ状態で複数埋設し、隣り合う側溝ユニット４同士を接合して概略構成されている。
【００２２】
側溝ユニット４は、図１および図２に示すように、上側の自由勾配側溝部材１１と下側の地中埋設用筒部材１２とを上下に重ねて構成されており、自由勾配側溝部材１１内の地中埋設用筒部材１２上にはインバートコンクリート１３を打設している。
【００２３】
自由勾配側溝部材１１は、横長なコンクリート製部材であり、下部を開放して断面が門型となる形状で構成されている。具体的には、当該自由勾配側溝部材１１の長手方向から見て左右両側には、起立平板状の側壁部１６を互いに離間した状態で備え、両側壁部１６の上端同士を梁部１７により接続する一方、両側壁部１６の下端同士の間（言い換えると当該自由勾配側溝部材１１の底面）を開口している。そして、両側壁部１６および梁部１７により囲まれた空間を排水空間１８とし、この排水空間１８を自由勾配側溝部材１１の長手方向に沿って延在させるとともに、排水空間１８の長手方向の両端部を開放している。
【００２４】
また、両側壁部１６のうち長手方向の一側縁部（図２（ｂ）中、左側縁部）にはパッキン溝１９を備え、このパッキン溝１９に装着されたパッキン２０（図２参照）を介して隣り合う自由勾配側溝部材１１同士を接合し、排水空間１８内の水が自由勾配側溝部材１１同士の間から側方へ漏れ出ることを阻止できるように構成されている。さらに、自由勾配側溝部材１１の梁部１７には矩形状の側溝開口２２を開設して蓋材２３により閉成し、側溝開口２２の開口縁と蓋材２３との間には雨水導入路２４を形成して排水空間１８の上部へ連通し、側溝１上の雨水が雨水導入路２４を通って排水空間１８内へ流下するように構成されている。
【００２５】
地中埋設用筒部材１２は、横長な矩形筒状のコンクリート製部材であり、図３に示すように、当該地中埋設用筒部材１２の内部には貫通空部２７を排水空間１８と同じ方向に長尺となる状態で（言い換えると、地中埋設用筒部材１２の長手方向および自由勾配側溝部材１１の長手方向に沿って）形成し、この貫通空部２７内に電線や通信用光ファイバー線等を収納可能としている。また、貫通空部２７の一端部（図３（ｃ）中、左端部）の開口縁には連結受部２８を貫通空部２７の開口断面よりもひと回り大きい矩形状に凹ませて備え、他端部（図３（ｃ）中、右端部）には連結突部２９を連結受部２８へ嵌合可能な矩形状で突設している。そして、隣り合う地中埋設用筒部材１２同士において、一方の地中埋設用筒部材１２の連結受部２８に他方の地中埋設用筒部材１２の連結突部２９を嵌合して、地中埋設用筒部材１２同士を連結するとともに貫通空部２７同士を連通するように構成されている。なお、図３における貫通空部２７は八角形の開口断面を呈しているが、本発明はこれに限定されない。要は、電線等を収納可能であればどのような形状の開口断面であってもよい。例えば、四角形の開口断面（図５および図６参照）や円形であってもよい。
【００２６】
さらに、地中埋設用筒部材１２の上面には、自由勾配側溝部材１１の下面の開口を下から閉塞可能な上面部３１を備え、この上面部３１の左右側縁には、自由勾配側溝部材１１の側壁部１６を支持する支持部３２を備えている。具体的に説明すると、上面部３１を両側壁部１６の下端同士の間に嵌合して自由勾配側溝部材１１の下面の開口を閉塞可能とし、この上面部３１の左右両側縁（地中埋設用筒部材１２の長手方向から見て左右の側縁）には、段差を付けた棚状の支持部３２を地中埋設用筒部材１２の側方へ突出した状態であり、且つ地中埋設用筒部材１２の長手方向に沿った延在状態で一体成型している。そして、図１（ａ）に示すように、上面部３１が両側壁部１６の下端同士の間に嵌合するとともに支持部３２が側壁部１６の下端に係合（言い換えると、側壁部１６の下端が支持部３２上に載置）して、地中埋設用筒部材１２上において自由勾配側溝部材１１が地中埋設用筒部材１２の長手方向とは直交する方向（図１（ａ）における下方向および左右方向））へずれることを規制するように構成されている。すなわち、支持部３２が位置決めとして機能して側壁部１６の下端の位置ずれを規制するように構成されている。
【００２７】
次に、側溝１の施工手順について説明する。
まず、図１（ｂ）および図４（ａ）に示すように、側溝ユニット４を敷設するための溝２を側溝ユニット４の高さ寸法よりも深く、側溝ユニット４の幅（長手方向とは直交する方向に沿う幅）よりも広い幅で開削する（敷設用溝開削工程）。さらに、図４（ｂ）に示すように、この溝２の底部に基礎砕石３ａ、基礎コンクリート３ｂの順に打設して、側溝ユニット４が載置される基礎３を形成する（基礎形成工程）。
【００２８】
溝２内に基礎３を形成したならば、図４（ｃ）に示すように、基礎３上に複数本の地中埋設用筒部材１２を順次貫通空部２７を連通させながら連結して敷設する（筒部材敷設工程）。具体的には、隣り合う地中埋設用筒部材１２同士において、一方の地中埋設用筒部材１２の連結受部２８と他方の地中埋設用筒部材１２の連結突部２９とを対向させた状態にして基礎３上に敷設し、地中埋設用筒部材１２同士を近づけて対向状態の連結受部２８と連結突部２９とを連結する。すると、隣り合う貫通空部２７が連通して、電線等を収納する共同溝３５が構成される。なお、隣り合う地中埋設用筒部材１２同士を側面の板状ジョイント（図示せず）により接続することが望ましい。
【００２９】
溝２内に地中埋設用筒部材１２の連結体を溝２の延在方向に沿って敷設したならば、図４（ｄ）に示すように、地中埋設用筒部材１２の連結体の上に自由勾配側溝部材１１を複数敷設する（自由勾配側溝敷設工程）。具体的には、隣り合う自由勾配側溝部材１１同士の間にパッキン２０を挟み、それぞれの排水空間１８を順次接続しながら自由勾配側溝部材１１を複数敷設する。このとき、自由勾配側溝部材１１の側壁部１６の下端が地中埋設用筒部材１２の支持部３２上に載置されて、自由勾配側溝部材１１が地中埋設用筒部材１２に支持され、さらには、支持部３２による側壁部１６の支持と、上面部３１の側壁部１６間への嵌合（自由勾配側溝部材１１の一部と支持部３２との係合）とにより、自由勾配側溝部材１１が地中埋設用筒部材１２上で位置決めされる。したがって、地中埋設用筒部材１２と自由勾配側溝部材１１とを容易に位置決めすることができ、側溝１の施工における作業効率の向上を図ることができる。また、地中埋設用筒部材１２の上面部３１の左右側縁に支持部３２を備えたので、自由勾配側溝部材１１を支持するための構成を簡単に実現することができる。
【００３０】
さらに、支持部３２を地中埋設用筒部材１２に一体成型しているので、支持部３２を地中埋設用筒部材１２とは別個に作製して取り付ける必要がなく、地中埋設用筒部材１２の製造効率の向上を図ることができる。しかも、支持部３２が側壁部１６の下端に係合して位置規制するので、自由勾配側溝部材１１を位置決めする構成と、自由勾配側溝部材１１を支持する構成とを別個にして地中埋設用筒部材１２に備える必要がなく、地中埋設用筒部材１２の構造が複雑になることを抑えることができる。
【００３１】
地中埋設用筒部材１２の連結体上に複数の自由勾配側溝部材１１を備え付け（本実施形態では載置）して自由勾配側溝敷設工程が終了したならば、図４（ｅ）に示すように、この自由勾配側溝敷設工程で接続した自由勾配側溝部材１１の内部のうち、地中埋設用筒部材１２の上面部３１を臨ませた底部分にインバートコンクリート１３を打設して、自由勾配側溝部材１１の排水空間１８の底部（言い換えると、複数の排水空間１８を連結して構成された排水路３６の底部）を地中埋設用筒部材１２の上面へ勾配をつけながら形成する（排水空間底部形成工程）。なお、勾配は側溝１の下流部（集水桝等）へ向けて下り傾斜する状態に設定する。溝２内に複数の側溝ユニット４を連結状態で敷設した後には、図４（ｆ）に示すように、溝２と側溝ユニット４との間隙を土砂やコンクリートなどで埋め戻して、側溝１の施工を完了する。そして、必要に応じて側溝１の側方にアスファルト舗装を施工する。なお、隣り合う自由勾配側溝部材１１同士を側面の板状ジョイント（図示せず）により接続することが望ましい。
【００３２】
このように敷設用溝開削工程、基礎形成工程、筒部材敷設工程、自由勾配側溝敷設工程、排水空間底部形成工程を経て側溝１を施工して、側溝１内の下段には、貫通空部２７が形成された地中埋設用筒部材１２を一連に敷設するとともに、その上段に自由勾配側溝部材１１を一連に敷設するので、電線等を埋設するスペースの節約に寄与することができる。しかも、敷設用溝開削工程、基礎形成工程、筒部材敷設工程、自由勾配側溝敷設工程が終了した後に排水空間底部形成工程を行うので、排水路３６の傾斜を現場に応じた傾斜に容易に設定することができる。
【００３３】
ところで、上記実施形態の地中埋設用筒部材１２においては、上面部３１の左右側縁に支持部３２を備えているが、本発明はこれに限定されない。要は、自由勾配側溝部材１１の側壁部１６の下端を支持することができれば、どのような態様の支持部であってもよい。例えば、図５および図６に示す第２実施形態の側溝ユニット４′においては、地中埋設用筒部材１２′のうち貫通空部２７を挟んで上面部３１とは反対箇所（すなわち、地中埋設用筒部材１２の下部）の左右両側に支持部３２′を側方へ向けて突設している。このような支持部３２′を備えた地中埋設用筒部材１２′に対して自由勾配側溝部材１１を上方から備え付ければ（被せて載置すれば）、地中埋設用筒部材１２′の大部分（上面部３１や貫通空部２７を含む大部分）を両側壁部１６の間に嵌合することができ、自由勾配側溝部材１１の載置状態を安定させることができる。これにより、自由勾配側溝敷設工程の実行中に、地中埋設用筒部材１２′上に載置した自由勾配側溝部材１１が誤って溝２の側縁に向かって倒れてしまう不都合を避けることができる。
【００３４】
また、図７に示す第３実施形態の側溝ユニット４″における支持部３２″は、地中埋設用筒部材１２″の上面部３１の左右両側縁に、側壁部１６の外側面に係合可能な係合突条４０を上向きに突設し、側壁係合突条４０の間に自由勾配側溝部材１１の下部（一部）を嵌合して左右方向（流路の幅方向）の位置決めをした状態で支持するように構成されている（図７（ａ）参照）。このようにして地中埋設用筒部材１２″の上面部３１に係合突条４０を有する支持部３２″を備えれば、自由勾配側溝部材１１が地中埋設用筒部材１２″上から左右にずれてしまう不都合がなく、作業性が向上する。
【００３５】
なお、図８に示すように、自由勾配側溝部材１１に係合する部分のない地中埋設用筒部材４２であっても本発明に係る施工方法に使用することができる。
また、図９に示すように、地中埋設用筒部材４２′の側面の長手方向端部にジョイント４５を上端が上方および前後に突出する状態で設け、このジョイント４５の前後に突出した部分を次に埋設する隣の地中埋設用筒部材４２′の左右方向の位置決めガイドとして機能させると共に、隣りの地中埋設用筒部材４２′との連結材として機能させて、尚且つ当該地中埋設用筒部材４２′の上に敷設する自由勾配側溝部材１１の左右方向の位置決めガイド、並びに隣り合う自由勾配側溝部材１１同士の連結材として機能させてもよい。図９中、４６は、ジョイント４５を地中埋設用筒部材４２′または自由勾配側溝部材１１に固定するボルトを通す孔である。
【００３６】
ところで、上記各実施形態の地中埋設用筒部材においては、支持部の上面（詳しくは、側溝ブロックの側壁部が載置される上面）を地中埋設用筒部材の下面と略平行な状態に設定したが、本発明はこれに限定されない。例えば、図１０および図１１に示す第４実施形態の地中埋設用筒部材５２は、基本的には第２実施形態における地中埋設用筒部材１２′（図６参照）の主な構成と同じであるが、支持部の上面を下面に対して傾斜した状態に設定している点で異なる。具体的に説明すると、地中埋設用筒部材５２の支持部５４は、図１０に示すように、当該支持部５４の上面（詳しくは、自由勾配側溝部材１１の側壁部１６を支持する上面）５４ａが地中埋設用筒部材５２の下面５２ａに対して長手方向の一端から他端に向けて傾いて（図１０（ｃ）中、右端から左端に向けて下り傾斜して）形成されており、支持部５４の上面５４ａと地中埋設用筒部材５２の下面５２ａとのなす角を支持傾斜角度αとしている。
【００３７】
このような傾斜構造の支持部５４を備えた地中埋設用筒部材５２を複数本用いて側溝１を施工する手順を説明すると、まず、施工前の準備段階において、施工に必要な資材（複数本の地中埋設用筒部材５２や複数個の自由勾配側溝部材１１等）を用意する。このとき、地中埋設用筒部材５２においては、支持部５４の厚さ（支持部５４の上面５４ａから地中埋設用筒部材５２の下面５２ａまでの上下寸法）を地中埋設用筒部材５２毎に異ならせて、地中埋設用筒部材５２同士が連結されると、隣り合う地中埋設用筒部材５２の支持部５４の上面５４ａが同一平面上（詳しくは、各地中埋設用筒部材５２の下面５２ａに対して支持傾斜角度αで傾斜した平面上）に並ぶように設定する（図１１（ｂ）参照）。なお、支持部５４の厚さが互いに異なる各地中埋設用筒部材５２は、予め地中埋設用筒部材５２のメーカーにてそれぞれ製造された一体成型品でもよいし、あるいは、共通ベースとなる地中埋設用筒部材５２の支持部５４に厚さ調整用の部材を付加して準備されるものでもよい。例えば、厚さ調整用部材として長尺平板状のスペーサーを準備して支持部５４上に積層可能とし、地中埋設用筒部材５２毎にスペーサーの積層数を異ならせたり、スペーサーの積層を避けたりすることにより、支持部５４の厚さを互いに異ならせてもよい。
【００３８】
支持部５４の厚さが異なる複数種類の地中埋設用筒部材５２や、複数の自由勾配側溝部材１１等、側溝１の施工に必要な資材の準備が完了したならば、側溝１の施工を開始し、溝２を開削する敷設用溝開削工程、基礎３を形成する基礎形成工程を行う。そして、基礎形成工程においては、基礎３の上層として打設される基礎コンクリート３ｂの上面の勾配を側溝１の上面（言い換えると、路上に露出する自由勾配側溝部材１１の上面）の勾配設計に応じて調整する。具体的には、図１１（ｃ）および（ｄ）に示すように、側溝１の上面の勾配が０度（側溝１の上面が略水平）で設計されている場合には、溝２内での支持部５４の上面の姿勢を略水平に設定するために、基礎コンクリート３ｂの上面（基礎３の上面）を溝２の上流側から下流側へ向けて下り傾斜させ、この下り傾斜角度βを支持部５４の支持傾斜角度αに等しく設定する。なお、敷設用溝開削工程において開設される溝２の底面を下り傾斜角度β（支持傾斜角度αに等しい角度）の傾斜面に設定することで、基礎３の上面が下り傾斜するように構成してもよい。
【００３９】
基礎形成工程が終了したならば、基礎３上に複数本の地中埋設用筒部材５２を順次貫通空部２７を連通させながら連結して敷設する（筒部材敷設工程）。このとき、地中埋設用筒部材５２の連結体において、連なった支持部５４の厚さが溝２の上流側から下流側へ向けて（図１１（ｄ）中、左側から右側へ向けて）次第に厚くなる状態に設定する。すると、連結した地中埋設用筒部材５２の上面部３１が基礎３の傾斜に倣って下り傾斜する姿勢（溝２の上流側から下流側へ向けて下り傾斜する姿勢）に設定され、連なった支持部５４の上面５４ａが施工完了後の側溝１の上面と略平行な姿勢（図１１（ｄ）においては略水平な姿勢）に設定される
【００４０】
筒部材敷設工程が終了したならば、地中埋設用筒部材５２の連結体の上に自由勾配側溝部材１１を複数敷設する（自由勾配側溝敷設工程）。自由勾配側溝敷設工程の終了後に形成された排水路３６においては、この排水路３６の底部、すなわち地中埋設用筒部材５２の連結体の上面部３６が既に下り傾斜角度βで溝２の上流側から下流側へ向けて下り傾斜している。このことから、上記実施形態においては実行していたインバートコンクリートの打設作業（排水空間底部形成工程）を行う必要がない。したがって、側溝１の施工の手間の軽減や施工時間の短縮を図ることができる。そして、溝２内に複数の側溝ユニット５８（地中埋設用筒部材５２と自由勾配側溝部材１１との組み合わせ）を連結状態で敷設した後には、溝２と側溝ユニット５８との間隙を土砂やコンクリートなどで埋め戻して、側溝１の施工を完了する。そして、必要に応じて側溝１の側方にアスファルト舗装を施工する。このようにして、支持部５４の上面５４ａが傾斜した地中埋設用筒部材５２を用いて側溝１を施工すれば、地中埋設用筒部材５２を自由勾配側溝部材１１に対して傾斜した姿勢に設定することができ、この傾斜姿勢を利用して排水路３６の底部の勾配を容易に設定することができる。
【００４１】
なお、隣り合う地中埋設用筒部材５２同士の隙間を通って水が共同溝３５へ漏れる虞がある場合には、排水路３６の底部にインバートコンクリートを打設して地中埋設用筒部材５２同士の隙間を埋めてもよい。このとき、コンクリートの打設勾配を地中埋設用筒部材５２の連結体の下り傾斜角度βよりも緩くしたりきつくしたりして排水路３６の底部の勾配を設定し直してもよい。すなわち、支持部５４の上面が傾斜した地中埋設用筒部材５２を用いて側溝１を施工する場合でも、排水空間底部形成工程を実行してもよい。
【００４２】
また、側溝１の上面の勾配（側溝１を施工する道路の勾配）が０度よりも大きい場合でも、支持部５４の上面が傾斜した地中埋設用筒部材５２を用いて側溝１を施工してもよい。このとき、側溝１の設計の段階で、支持部５４の上面の支持傾斜角度αの数値および基礎コンクリート３ｂの上面の下り傾斜角度βの数値を予め調整して、地中埋設用筒部材５２の上面部３１（すなわち、排水路３６の底部）が溝２の上流側から下流側へ向けて下り傾斜する状態に設計することが好適である。
【００４３】
ところで、上記第４実施形態における地中埋設用筒部材５２では、支持部５４の上面が傾斜した状態で一体成型されている構成としたが、本発明はこれに限定されない。要は、地中埋設用筒部材の支持部において、自由勾配側溝部材の側壁部（詳しくは、当該支持部に支持される自由勾配側溝部材の側壁部）を地中埋設用筒部材の下面に対して長手方向の一端から他端に向けて傾いた姿勢に設定する手段（傾斜設定手段）を備えていれば、どのような構成の地中埋設用筒部材を採用してもよい。例えば、支持部の基部となる部分を地中埋設用筒部材に一体成型し、この基部となる部分の上面に傾斜構成部材を装着して支持部の上面の傾斜姿勢を実現してもよい。具体的には、上記基部となる部分の上面を地中埋設用筒部材の下面と予め平行に設定しておき、上面が傾斜した薄肉楔状の傾斜構成部材を基部となる部分の上面に装着（載置）して、支持部（詳しくは、基部となる部分と傾斜構成部材とを組み合わせて構成された支持部）の上面を地中埋設用筒部材の下面に対して長手方向の一端から他端に向けて傾けて形成してもよい。なお、一つの側溝の施工に連結状態で使用される複数の地中埋設用筒部材においては、傾斜構成部材の厚さを地中埋設用筒部材毎に異ならせて設定する。これにより、支持部の厚さ（傾斜構成部材の上面から地中埋設用筒部材の下面までの上下寸法）を地中埋設用筒部材毎に異ならせて、地中埋設用筒部材同士が連結されると、隣り合う地中埋設用筒部２の支持部の上面が同一平面上（詳しくは、各地中埋設用筒部材の下面に対して傾斜した平面上）に並ぶように設定する。
【００４４】
また、上記した薄肉楔状の傾斜構成部材を装着する代わりに、支持部の基部となる部分の上面に、傾斜設定手段としてモルタルやコンクリート等の流動体を打設して傾斜状態で固化させ、支持部（詳しくは、基部となる部分にモルタルを打設して構成された支持部）の上面を地中埋設用筒部材の下面に対して長手方向の一端から他端に向けて傾いた姿勢に設定してもよい。あるいは、支持部の基部となる部分のうち地中埋設用筒部材の長手方向の一端部と他端部とに、高さが互いに異なるスペーサーを傾斜設定手段としてそれぞれ配置して支持部を構成し、支持部の一部分である両スペーサー上（言い換えると、支持部の上面）に自由勾配側溝部材の側壁部を架設すると、自由勾配側溝部材が地中埋設用筒部材に対して傾斜した姿勢になるように構成してもよい。
【００４５】
このようにして、自由勾配側溝部材を地中埋設用筒部材に対して傾斜した姿勢にする（言い換えると、地中埋設用筒部材を自由勾配側溝部材に対して傾斜した姿勢にする）構成を、支持部の傾斜設定手段により実現すれば、自由勾配側溝部材の地中埋設用筒部材に対する傾斜角度が側溝毎に異なる設計であったとしても、傾斜設定手段の設定を変えるだけで、側溝の設計に沿った地中埋設用筒部材を簡単に準備することができる。また、上記第４実施形態と同様に、地中埋設用筒部材を自由勾配側溝部材に対して傾斜した姿勢にすることを利用して排水路の底部の勾配を容易に設定することができる。
【００４６】
ところで、上記各実施形態においては、側溝１の施工時に自由勾配側溝部材の底部が開口していればよい。例えば、既存の排水路に対して改修工事を行い、電線等を収納する共同溝を排水路の下方に設けようとする場合には、排水路を構成する既設の側溝ブロック（図示せず）を掘り起こし、この側溝ブロックの底部を破砕する等して開口して自由勾配側溝部材を準備してもよい。すなわち、既設の側溝ブロックを再利用して自由勾配側溝部材を構成してもよい。
【００４７】
そして、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
例えば、前記した第１実施形態では所定間隔（具体的には集水桝と集水桝との間）に複数の地中埋設用筒部材を順次敷設して一連とした（筒部材敷設工程）後に、これら一連の地中埋設用筒部材の上に複数の自由勾配側溝部材を順次敷設して一連とした（自由勾配側溝敷設工程）が、地中埋設用筒部材を１つ敷設した後にその上に自由勾配側溝部材を敷設する工程を繰り返し行ってもよい。すなわち、筒部材敷設工程と自由勾配側溝敷設工程とを繰り返し行ってもよく、要するに埋設した地中埋設用筒部材の上に自由勾配側溝を敷設し、その後にインバートコンクリートを打設（排水空間底部形成工程）してもよい。
【符号の説明】
【００４８】
１  側溝
２  溝
３  基礎
３ａ  基礎砕石
３ｂ  基礎コンクリート
４，４′，４″  側溝ユニット
１１  自由勾配側溝部材
１２，１２′，１２″  地中埋設用筒部材
１３  インバートコンクリート
１６  側壁部
１７  梁部
１８  排水空間
１９  パッキン溝
２０  パッキン
２２  側溝開口
２３  蓋材
２４  雨水導入路
２７  貫通空部
２８  連結受部
２９  連結突部
３１  上面部
３２，３２′，３２″  支持部
３５  共同溝
３６  排水路
４０  係合突条
４２，４２′  地中埋設用筒部材
４５  ジョイント
４６  孔
５２  地中埋設用筒部材
５２ａ  下面
５４  支持部
５４ａ  上面
５８  側溝ユニット
【図１】
2019044562.tif 000003
【図２】
2019044562.tif 000004
【図３】
2019044562.tif 000005
【図４】
2019044562.tif 000006
【図５】
2019044562.tif 000007
【図６】
2019044562.tif 000008
【図７】
2019044562.tif 000009
【図８】
2019044562.tif 000010
【図９】
2019044562.tif 000011
【図１０】
2019044562.tif 000012
【図１１】
2019044562.tif 000013